(57)【特許請求の範囲】
【請求項１】
内部に空洞を有し、前記空洞に連通する前部開口と下部開口とを有する香炉本体と、
前記前部開口を開閉可能な開閉部材と、
前記香炉本体の前後方向にスライドして前記下部開口を開閉可能な底板とを有し、
前記香炉本体は天板を有し、前記底板を挟む位置に設けられた１対の側壁と、各側壁の前面との間に隙間をあけてそれぞれ設けられた１対の正面板とを有し、
前記開閉部材は前記底板に沿って前記底板の上から前記隙間内にスライドして前記前部開口を開閉可能な引き戸から成ることを、
特徴とする墓用香炉。
【請求項２】
前記底板は透光部を有することを、特徴とする請求項１記載の墓用香炉。
【発明の詳細な説明】
【技術分野】
【０００１】
本発明は、墓用香炉に関する。
【背景技術】
【０００２】
従来、容易に納骨できるよう構成された墓として、墓用前机の底部に下部開口を設けて、納骨堂の上部の納骨用開口と連通させ、墓用前机の下部開口を底板で開閉可能に塞いだものが、本発明者により開発されている（例えば、特許文献１参照）。
【先行技術文献】
【特許文献】
【０００３】
【特許文献１】特許第３７２８７３５号公報
【発明の概要】
【発明が解決しようとする課題】
【０００４】
特許文献１に記載の墓用前机は、重い石材を移動させることなく容易に納骨できるものであるが、区画が狭く、外柵内に墓用前机を置くことができない場合等には、利用できないという課題があった。
【０００５】
本発明は、このような課題に着目してなされたもので、外柵内が狭いときでも、容易に納骨することができる墓用香炉を提供することを目的とする。
【課題を解決するための手段】
【０００６】
上記目的を達成するために、本発明に係る墓用香炉は、内部に空洞を有し、前記空洞に連通する前部開口と下部開口とを有する香炉本体と、前記前部開口を開閉可能な開閉部材と、前記香炉本体の前後方向にスライドして前記下部開口を開閉可能な底板とを有し、前記香炉本体は天板を有し、前記底板を挟む位置に設けられた１対の側壁と、各側壁の前面との間に隙間をあけてそれぞれ設けられた１対の正面板とを有し、前記開閉部材は前記底板に沿って前記底板の上から前記隙間内にスライドして前記前部開口を開閉可能な引き戸から成ることを、特徴とする。
【０００７】
本発明に係る墓用香炉は、納骨堂の上部に設けられた納骨用開口を覆うよう配置されて使用される。このとき、開閉部材を開けて前部開口を開放し、底板を香炉本体の前方にスライドさせて下部開口を開放することにより、前部開口および下部開口を通して納骨用開口から納骨堂の内部に骨壺を納骨することができる。納骨後は、底板で下部開口を塞ぎ、開閉部材で前部開口を閉じることにより納骨堂を塞ぐことができる。このように、本発明に係る墓用香炉は、床材やその上に載っている墓石、骨蓋、花立てなどを移動させずに容易に納骨することができる。
【０００８】
一般に、墓地の区画が狭く外柵内に前机が置けない場合であっても、香炉は置かれることが多い。このため、外柵内に墓用前机を置くことができない場合等でも、本発明に係る墓用香炉を置くことにより、納骨が容易となる。
【０００９】
本発明に係る墓用香炉で、開閉部材は、内部で香を焚いたときにその煙を排出可能な排気孔を有していることが好ましい。この場合、開閉部材の排気孔および透光部を通して、納骨堂の内部に自然光を入れることができる。本発明に係る墓用香炉は、石製が好ましいが、他の材質から成っていてもよい。また、香炉本体が納骨用開口を包囲するようにコーキング材により気密的に設置されていることが好ましい。この場合、香炉本体と香炉本体を設置する床との隙間から雨水などが入らず、納骨堂の浸水を防ぐことができる。
【００１０】
本発明に係る墓用香炉は、開閉部材が底板に沿ってスライドするため、開閉部材を底板の上から離さないと、底板をスライドさせることができず、下部開口を開閉できない。このため、下部開口を開けるのに手順を要するので、納骨堂が荒らされにくい。
【００１１】
本発明に係る墓用香炉で、側壁は花立てであってもよい。正面板の前面には家紋が形成されていることが好ましい。
本発明に係る墓用香炉は、開閉部材が正面板の後側にスライドするため、正面板を隠さずに開閉部材を開けることができる。このため、正面板の前面に家紋を形成したとき、家紋を隠さずに開閉部材を開けることができる。
【００１２】
前記底板は透光部を有することが好ましい。この構成では、内部でロウソクを灯したり、香を焚いたりしたとき、底板を透して納骨堂の内部に光が入り、お墓参りに来たことを納骨堂内に知らせることができる。
【発明の効果】
【００１３】
本発明によれば、外柵内が狭いときでも、容易に納骨することができる墓用香炉を提供することができる。
【図面の簡単な説明】
【００１４】
【図１】本発明の実施の形態の墓用香炉を示す（ａ）斜視図、（ｂ）開閉部材および底板を開けた状態を示す斜視図である。
【図２】図１に示す墓用香炉の使用状態を示す墓の側面図である。
【発明を実施するための形態】
【００１５】
以下、図面に基づき本発明の実施の形態について説明する。
図１および図２は、本発明の実施の形態の墓用香炉を示している。
図１に示すように、墓用香炉１０は、香炉本体１１と底板１２と開閉部材１３とを有している。
【００１６】
図１に示すように、香炉本体１１は、箱形を成して内部に空洞を有し、基板２１と１対の側壁２２と１対の正面板２３と天板２４とを有している。基板２１は、ほぼ矩形板状を成し、中央に厚みを貫通して形成された矩形状の下部開口２１ａを有している。基板２１は、表面側の下部開口２１ａの周縁に段部２１ｂを有している。段部２１ｂは、基板２１の前方側面まで連通している。基板２１は、表面の前方側部に、下部開口２１ａから両側面まで側縁に沿って伸びる下部スライド溝２１ｃを有している。
【００１７】
各側壁２２は、直方体状の花立てを構成し、それぞれ上面中央に花を活けるための穴を有している。各側壁２２は、それぞれ下部開口２１ａを挟んで基板２１の左右両端部に設けられており、墓用香炉１０の左右の壁を構成している。各側壁２２は、基板２１の下部スライド溝２１ｃの後方に配置されている。
【００１８】
各正面板２３は、薄い矩形板状を成し、各側壁２２の前面と同じ大きさを有している。各正面板２３は、各側壁２２の前面との間に隙間をあけて、各側壁２２の前方にそれぞれ設けられている。各正面板２３は、各側壁２２との間に基板２１の下部スライド溝２１ｃを挟むよう、基板２１の下部スライド溝２１ｃの前方に立てて配置されている。各正面板２３は、前面に家紋（図示せず）が彫られている。
【００１９】
天板２４は、ほぼ矩形板状を成し、下部開口２１ａ、各側壁２２および各正面板２３の上面を覆うよう、各側壁２２の上に架け渡されている。天板２４は、各側壁２２の位置でやや高くなるよう、各側壁２２の上部が厚く、各側壁２２の間が薄く形成されている。天板２４は、各側壁２２の穴に連通する貫通孔２４ａを有している。また、天板２４は、底面の前方側部に、一端部から他端部まで側縁に沿って左右方向に伸びる上部スライド溝（図示せず）を有している。上部スライド溝は、基板２１の下部スライド溝２１ｃに対向する位置に設けられている。
【００２０】
香炉本体１１は、各側壁２２、基板２１および天板２４に囲まれて内部に空洞を有し、空洞に連通して前方に向かって開いた前部開口１１ａを有している。下部開口２１ａもまた、空洞に連通している。なお、香炉本体１１は、各側壁２２、基板２１および天板２４に囲まれ、後方に向かって開いた後部開口（図示せず）も有している。
【００２１】
図１に示すように、底板１２は、矩形板状を成し、表面の前方側部に、側縁に沿って左右両側面に貫通して伸びる中央スライド溝１２ａを有している。底板１２は、各側壁２２に挟まれる位置に設けられている。底板１２は、中央スライド溝１２ａの後方側に、厚みを貫通して形成された矩形状の透光部１２ｂを有している。底板１２は、表面側の透光部１２ｂの周縁に段部１２ｃを有している。底板１２は、段部１２ｃに載せて透光部１２ｂを覆うよう固定された矩形状の透光板２５を有している。透光板２５は、透光性の大理石から成っている。
【００２２】
底板１２は、基板２１の段部２１ｂの上に載せて、下部開口２１ａを塞ぐよう配置されている。このとき、底板１２は、表面が基板２１の表面と同じ高さになり、中央スライド溝１２ａが基板２１の下部スライド溝２１ｃと連続するようになっている。中央スライド溝１２ａは、天板２４の上部スライド溝に対向する位置に設けられている。また、底板１２は、透光部１２ｂが下部開口２１ａの上に配置されるようになっている。底板１２は、基板２１の段部２１ｂに沿って香炉本体１１の前後方向にスライドして下部開口２１ａを開閉可能となっている。
【００２３】
図１に示すように、開閉部材１３は、左右両側に開く格子状の引き戸から成り、上縁が天板２４の上部スライド溝に挿入され、下縁が基板２１の下部スライド溝２１ｃおよび底板１２の中央スライド溝１２ａに挿入されている。開閉部材１３は、上部スライド溝、下部スライド溝２１ｃおよび中央スライド溝１２ａに沿ってスライドして、前部開口１１ａを開閉可能になっている。開閉部材１３は、開けるとき、底板１２の上から左右方向に離れ、各側壁２２と各正面板２３との隙間内にスライドして、前部開口１１ａを開放するようになっている。
【００２４】
なお、図２に示すように、墓１は、墓用香炉１０の他に、納骨堂２と床材３と下台４と中台５と上台６と棹７とを有している。墓１の構成部材は、すべて石材から成っている。床材３は、納骨堂２およびその周囲を覆っている。下台４は、床材３の上で納骨堂２の上方に配置されている。中台５は下台４の上に配置され、上台６は中台５の上に配置され、棹７は上台６の上に配置されている。
【００２５】
納骨堂２は、地面の下で函形に形成されており、床材３により覆われている。納骨堂２は、上部の床材３および下台４に納骨用開口２ａを有し、内部に納骨室２ｂを形成している。納骨用開口２ａは、矩形状の断面を有している。床材３および下台４の納骨用開口２ａは、互いに大きさが一致して連通している。納骨用開口２ａは、骨壺を両手で持って納骨室２ｂに収容することができる程度の大きさを有している。
【００２６】
墓用香炉１０は、納骨堂２の上部に設けられた納骨用開口２ａを覆い、下部開口２１ａが納骨用開口２ａに連通するよう、下台４の上の中台５の前に配置されている。墓用香炉１０は、香炉本体１１が納骨用開口２ａを包囲するよう、コーキング材により下台４および中台５に気密的に設置されている。なお、墓用香炉１０は、中台５により、後部開口が気密的に塞がれている。
【００２７】
次に、作用について説明する。
墓用香炉１０は、納骨するとき、開閉部材１３を開けて前部開口１１ａを開放し、底板１２を香炉本体１１の前方にスライドさせて下部開口２１ａを開放する。これにより、前部開口１１ａおよび下部開口２１ａを通して納骨用開口２ａから納骨堂２の内部に骨壺を納骨することができる。納骨後は、底板１２で下部開口２１ａを塞ぎ、開閉部材１３で前部開口１１ａを閉じることにより、外部から見て納骨用開口２ａの開け方がわからない状態で納骨堂２を塞ぐことができる。
【００２８】
開閉部材１３は天板２４の上部スライド溝、底板１２の中央スライド溝１２ａおよび基板２１の下部スライド溝２１ｃに沿ってスライドするため、開閉部材１３を底板１２の上から離さないと、底板１２を手前にスライドさせることができず、下部開口２１ａを開閉できない。このため、下部開口２１ａを開けるのに手順を要するので、納骨堂が荒らされにくい。墓用香炉１０は、床材３やその上に載っている墓石、骨蓋、側壁２２などを移動させずに、容易に納骨することができる。このため、これらの石材を落として不用意に破損するのを防止することができる。
【００２９】
墓用香炉１０によれば、墓地の区画が狭く外柵内に墓用前机を置くことができない場合等でも、納骨が容易となる。墓用香炉１０は、底板１２が透光部１２ｂを有しているため、内部でロウソクを灯したり、香を焚いたりしたとき、納骨堂２の内部に光が入り、お墓参りに来たことを納骨堂内の霊に知らせることができる。墓用香炉１０は、開閉部材１３が各正面板２３の後側にスライドするため、各正面板２３の前面に彫られた家紋を隠さずに開閉部材１３を開けることができる。
【００３０】
墓用香炉１０は、開閉部材１３が格子戸から成るため、開閉部材１３の格子の隙間および透光部１２ｂを通して、納骨堂２の内部に自然光を入れることができる。墓用香炉１０は、香炉本体１１が下台４および中台５に気密的に設置されているため、香炉本体１１と下台４および中台５との隙間から雨水などが入らず、納骨堂２の浸水を防ぐことができる。
【符号の説明】
【００３１】
１    墓
２    納骨堂
２ａ  納骨用開口
２ｂ  納骨室
３    床材
４    下台
５    中台
６    上台
７    棹
１０  墓用香炉
１１  香炉本体
１１ａ  前部開口
１２  底板
１２ａ  中央スライド溝
１２ｂ  透光部
１２ｃ  段部
１３  開閉部材
２１  基板
２１ａ  下部開口
２１ｂ  段部
２１ｃ  下部スライド溝
２２  側壁
２３  正面板
２４  天板
２４ａ  貫通孔
２５  透光板
【図１】
0005640102.tif 000002
【図２】
0005640102.tif 000003